(57)【要約】【課題】  従来の半月アール形状テープ型の鋼製巻尺は内寸測定時、テープが鋭角的に折り曲げることができないため読み取り誤差が生じる点があり、その時の対応品として内寸測定用治具があったが巻尺ケース体と内寸測定用治具がそれぞれ分離していた為テープに装着する方法や携帯、収納、保管等に問題があった。【解決手段】  内寸測定用治具をコンパクト化にしてテープに装着し、巻尺ケース体に収納部を設けてテープと共に収納してこれらを一体化として携帯できるようにする。【選択図】図１
2009162764.tif 000002
【特許請求の範囲】
【請求項１】
測定接触突出部材にスライド可動部を接続固定し、前記測定接触突出部材とスライド可動部との間にテープを挿入して一体化構造による内寸測定用治具を構成し、前記内寸測定用治具を巻尺ケース体内に収納させると共に、内寸測定用治具の一方端部面を巻尺ケース体に係止させて内寸測定用治具を着脱手段とすることを特徴とした内寸測定用治具付き巻尺。
【請求項２】
測定接触突出部材の一方にテープ固定用係止ストッパーを取り付けた請求項１記載の内寸測定用治具付き巻尺。
【請求項３】
測定接触突出部材にテープの挿入溝を設けたスライド可動部を接続固定して係止ストッパーを取り付け、これらを一体化構造として内寸測定用治具を構成し、巻尺ケース体に設けた収納部に、前記内寸測定用治具を収納、保管することを特徴とした内寸測定用治具付き巻尺。
【請求項４】
測定接触突出部材を半月アール形状に形成した請求項１又は請求項３記載の内寸測定用治具付き巻尺。
【請求項５】
スライド可動部に設けた突起ストッパーの端部面に、けがき部を設けてテープの目盛りに合せ、印し線引くことを特徴とした請求項１又は、請求項３記載の内寸測定用治具付き巻尺。
【発明の詳細な説明】
【技術の分野】
【０００１】  本発明は、内寸測定時に用いられる内寸測定用治具付き鋼製巻尺に関する。
【背景技術】
【０００２】  従来の内寸又は内径測定用治具には、測定用突出部と巻尺固定部等を組み合わせた内径測定治具があった。（例えば、特許文献１参照）【０００３】  以下図第１〜３図により従来の内径測定治具を説明する。
第１図（ａ），（ｂ）、（ｃ）に基づく内径測定治具１０は、突出部１１と鋼製巻尺１２が挿入可能な溝部１３を有する巻尺固定部１４とから構成されたものがある。
鋼製巻尺１２は巻尺固定部１４の溝部１３内に挿入された後、後から第２図（ａ）、（ｂ）で示すように巻尺固定部１４にカバー１５を取り付け、押さえボルト１６で締め付け固定されていた。
第３図（ａ）、（ｂ）、（ｃ）、（ｄ）には内径測定治具の突出部１１が巻尺１２のテープ上面に重ねられている。【０００４】  また、第４図で示すように主に大口径管等の内径測定用を基準として考案されたものであるから内径測定治具１０と鋼製巻尺１２はそれぞれ分離しても利用することができるものの必ずしも良いものではない。
そして、内径測定治具には、他に利用する機能がなく測定用のみに用いられていた。【０００５】
【特許文献１】  実開平４−８５２０２号公報
【発明の開示】
【発明が解決しようとする課題】
【０００６】  以上に述べた従来の内径測定治具は、主に大口径管等の測定用のものであって、これらを一般の内寸測定用治具として用いることによって下記の問題点が生じる。【０００７】  測定治具と巻尺を分離すると携帯や保管、収納面で不便であった。内寸測定時、鋼製巻尺１２は固定部１４の溝部１３からテープを挿入した時、鋼製巻尺１２は固定部１４をスライドさせている間に溝部１３から外れて脱落し、測定しにくかった。【０００８】  また、鋼製巻尺１２は固定部１４の溝部１３にテープを挿入された後、後から固定部１４にカバー１５を取り付けるものであるから、これらもそれぞれ分離されており、そのためいちいち固定部１４にカバー１５を取り付けるのに手間取り面倒で一体化されていないので不便であった。【０００９】  更に、第３図（ａ）、（ｂ）、（ｃ）、（ｄ）の図面から見ても突出部１１が巻尺テープの上面位置にあるので目盛りが読みにくい点や、突出部１１が自在に曲げられない為、収納が不便で、そして一般の鋼製巻尺を利用した場合、テープが半月アール形状の厚みがあるため溝部１３に挿入しにくい等が生じていた。【００１０】  鋼製巻尺テープは鋭角的に折り曲げることができず測定物にあてたテープがアール状に曲がるため読み取る誤差が生じる点があるので引例の測定治具が考案されたものの上記のような欠点があった。
そして、従来のものは、測定用の働きのみで、テープに測定治具を嵌めてけがき部を設け、印し線を引くという機能がなかった。【００１１】  本発明は、このような従来の構成が有していた問題点を解決しようとするものであり、本発明は内寸測定用治具を収納、保管しやすく巻尺ケース体と内寸測定用治具を一体化として携帯し、更に印し線を引く機能を施して利用することを目的としている。
【課題を解決するための手段】
【００１２】  測定物に接触させる測定接触突出部材に、それと同時に位置移動させるためのスライド可動部を接続固定し、それらの間にテープを挿入して一体化構造による内寸測定用治具を構成する。【００１３】  上記の内寸測定用治具を巻尺ケース体内に収納部を設けて内蔵させると共に、内寸測定用治具の一方端部面を巻尺ケース体のテープ出入口部分に装着し係止させておいて、内寸測定用治具を出し入れ着脱手段とする。【００１４】  必要に応じて測定接触突出部材の一方に巻尺テープのスライド防止とする係止ストッパーを取り付ける。
上記の手段は、内寸測定用治具にテープを嵌めて合体しておいて、内寸測定時、テープと同時に引き出す手段を講じている。
内寸測定以外時は、テープのみを出入口から引き出して使用する。【００１５】  測定接触突出部材は、テープと同様に半月アール状に形成してテープと重ね合わせ、目盛の数字を読みやすく、更に自在に曲がりを持たせて巻尺ケース体内にテープと同時に重なり合って収納できるようにする。【００１６】  また、他の手段として、測定接触突出部材にテープをはさみ込むための挿入溝を設けたＵ状のスライド可動部を接続固定して、それらにテープのスライド防止とする係止ストッパーを取り付け、これらを一体化構造として内寸測定用治具を構成する。【００１７】  上記の構成による内寸測定治具は、巻尺ケース体の一部分に収納部を設けて、その部分に収納、保管して携帯するもので、この方法は、内寸測定用治具とテープを分離しておき、内寸測定時にテープと合体して利用する手段である。
上記は、内寸測定用治具としての利用方法であるが他の用途として、スライド可動部の一方端部にけがき部を設けて、テープの目盛りに合せ、印し線を引く機能を持たせる。
【発明の効果】
【００１８】  上述したように本発明の内寸測定用治具付き巻尺は、巻尺ケース体と一体化収納のため、携帯や保管に便利で迅速に用いられる。【００１９】  測定接触突出部材の幅をテープの幅より若干広くして上面にテープを載せているのでテープの目盛りが見やすい。【００２０】  測定接触突出部材を巻尺テープと同様に半月アール形状にすることによって、テープに密着し目盛りが読みやすく、また自在に曲がりを持たせているので収納に便利である。【００２１】  内寸測定用治具に、けがき部を設けているのでテープの目盛りに合せて印し線を引くことができ、切断時、正確にマーク付けができる。
【発明を実施するための最良の形態】
【００２２】  以下、本発明の実施の形態を図１〜図１１に基づいて説明する。【００２３】  図１は、実施例１を示すもので、図１〜図２に基づいて説明すると、測定接触突出部材１の上面に、スライド可動部２を両端カシメ３によって固定する。固定されたスライド可動部２と測定接触突出部材１は一体化として、中間にスライド空間４を設けて、その間に巻尺テープ５を挿入し、脱落しないように覆いかぶせる。【００２４】  スライド可動部２に巻尺テープ５を固定するためのネジ込み式係止ストッパー６を取付け、端部に突起ストッパー７を設けた。
巻尺テープ５が、半月アール状になっているため、それに合せて測定接触突出部材１やスライド可動部２も半月アール形状にする。
上記の合体組み合わせによって、内寸測定用治具９を構成する。【００２５】  図１は、巻尺ケース体８から内寸測定用治具９を引き出したもので、挿入されたテープ５は測定接触突出部材１の上面に位置し、測定物１０に対して測定接触突出部材１の先端部１１を測定物１０にあてて、係止ストッパー６を締めることによって、テープ５が固定され、先端部１１を測定物１０から外し、先端部１１にテープ５の目盛の数字を合せて読み取る。
尚、ネジ込み式による係止ストッパー６のネジの部分に、テープ５のキズ防止や、ストッパーの役目をするためのすべり止め材２４を取付ける。
そして、突起ストッパー７の側面にけがき部２５を設ける。【００２６】  図３は、巻尺ケース体８に内寸測定用治具９を収納部１２の中にテープ５と共に収納したもので、測定接触突出部材１もテープ５と同様に、同時に巻き込まれながら屈折し収納される。
突出部材１は、テープと同様の素材を用いると良い。
スライド可動部２の端部に設けた突起ストッパー７は、テープ出入口１３にツメ１４と共に係止され、引き出す場合は突起ストッパー７をつまみ出すことによって、テープ５及びツメ１４に突起ストッパー７がかみ合っているため同時に引き出すことができる。【００２７】  収納部１２に内蔵された内寸測定用治具９を使用しない場合、突起ストッパー７は、テープ出入口１３に係止さているので、テープ５のツメ１４のみを引き出すことによって、テープ５のみが出し入れ可能になっている。内寸測定用治具９は、テープ出入口１３から突起ストッパー７によって着脱自在に出し入れができる。【００２８】  図４は、実施例２を示すもので、図４〜図５に基づいて説明する。
測定接触突出部材１にスライド可動部２を両端カシメ３で固定し、他一方側にくさび式係止ストッパー６を取付ける。係止ストッパー６を取付ける場合、楕円状のスライド孔１５を形成して可動可能状態に支持軸１６で止める。
係止ストッパー６の挿入端部１７は、スライド可動部２の中に挿入し、かみ合うように傾斜面形状にする。スライド可動部２のスライド空間４に挿入端部１７が傾斜面にそって挿入されると同時に、テープ５が固定され読み取ることができる。また、係止ストッパー６の端部に、突起ストッパー７を設けて、巻尺ケース体のテープ出入口に着脱自在に係止される。またこれらにも、側面にけがき部２５を設けた。
テープ５が半月アール形状のため、それにそって測定接触突出部材１とスライド可動部２及び係止ストッパー６等も半月アール状にすると良い。【００２９】  図４においての実施例２の内寸測定用治具９は、図１及び図３で示したように巻尺ケース体８の収納部１２に内蔵することができるので使用方法も同様である。【００３０】  図６は実施例３を示すもので、図６〜図７に基づいて説明する。
測定接触突出部材１の一方両端部に、スライド可動部２を測定接触突出部材１の型材を利用して曲げ、巻き込んでテープ５を挿入し、スライド空間４を設けてテープ５をスムーズにスライドさせる状態にする。
また、巻き込んだスライド可動部２の両端部にテープ５をかみ合わせて固定させるための係止ストッパー溝１８を形成する。
テープ５の中央部２６を指で仮り押さえしても一時的に目盛りを見ることができる。
更に、必要に応じて、スライド可動部２の部分に、ネジ込み式係止ストッパー６を取付けてテープ５を固定することもできるので何れでも良い。スライド可動部２にも突起ストッパー７を設けて巻尺ケース体から着脱自在に出し入れすることができる。【００３１】  係止ストッパー溝１８を利用してテープ５を固定する場合、両端に設けた係止ストッパー溝１８の位置までテープ５を移動させてかみ合わせ、一時的にテープ５を固定する手段で、それを利用する場合は、係止ストッパー６は取り除いても良く、簡易的でローコスト型の内寸測定用治具９として利用できる。
また、突起ストッパー７の側面にけがき部２５を設けた。
図６の内寸測定用治具９も同様に巻尺ケース体の収納部に内蔵することができる。【００３２】  図８の内寸測定用治具９は、上記で示した図１の実施例１と図４の実施例２及び図６の実施例３による巻尺ケース体８の内部収納部１２に内蔵した方法と異なるもので、収納方法を変えたこれらを図８〜図１１に基づいて説明する。【００３３】  図８の内寸測定用治具９は測定接触突出部材１にＵ状のスライド可動部材１９を接続固定して側面にテープ挿入溝２０を設けている。Ｕ状のスライド可動部材１９の部分に、係止ストッパー６を取付けて、その一端に突起ストッパー７を突設し、側面にけがき部２５を設けた。
図９〜図１０で示すように、テープ５を押さえるための押さえ材２３とスプリング２２を取り付ける。
テープ５を挿入する時は、係止ストッパー６を上方に上げて挿入し、テープ５をスプリング２２と共に押さえ材２３で押さえる。
押さえることによって、脱落防止を行う。【００３４】  テープ５が半月アール形状のため、それに合せて測定接触突出部材１とＵ状のスライド可動部材１９を半月アール形状に形成し、スライド空間４を設けてスムーズにテープ５をスライドさせる。
尚、スライド時、係止ストッパー６を上方に持ち上げてスライドさせる。【００３５】  上記の構成による構造手段とした内寸測定用治具９を図１１に示すように巻尺ケース体８の部分に収納部１２を設けて一体化にする。【００３６】  使用する場合は、収納部１２から突起ストッパー７をつまんで取り出し、テープ５のツメ１４を引き出して、テープ挿入溝２０にテープ５を挿入する。収納部１２に、内寸測定用治具９が巻尺ケース体８と一体化となっているため収納保管がしやすい。【００３７】  図１で示すように、本発明の測定接触突出部材１の先端部１１に目盛をプリントすることによって、内寸測定時、測定物に対しアール状にテープ５をあてた時、テープ５の目盛りに合せて測定の目安を読み取ることもできる。
【図面の簡単な説明】
【００３８】
【図１】  実施例１を示す平面図
【図２】  実施例１のＡ−Ａ断面図
【図３】  実施例１の収納状態を示す側面図
【図４】  実施例２を示す平面図
【図５】  実施例２のＢ−Ｂ断面図
【図６】  実施例３を示す平面図
【図７】  実施例３のＣ−Ｃ断面図
【図８】  実施例４を示す平面図
【図９】  実施例４のＤ−Ｄ断面図
【図１０】  実施例４のＥ−Ｅ断面図
【図１１】  実施例４の収納状態を示す側面図
【符号の説明】
【００３９】      １    突出部材
２    スライド可動部
４    スライド空間
５    テープ
６    係止ストッパー
７    突起ストッパー
８    巻尺ケース体
９    内寸測定用治具
１１  先端部
１２  収納部
１３  テープ出入口
１８  係止ストッパー溝
１９  Ｕ状スライド可動部
２０  テープ挿入溝
２５  けがき部
２６  中央部
【図１】
2009162764.tif 000003
【図２】
2009162764.tif 000004
【図３】
2009162764.tif 000005
【図４】
2009162764.tif 000006
【図５】
2009162764.tif 000007
【図６】
2009162764.tif 000008
【図７】
2009162764.tif 000009
【図８】
2009162764.tif 000010
【図９】
2009162764.tif 000011
【図１０】
2009162764.tif 000012
【図１１】
2009162764.tif 000013